(57)【要約】【課題】共用の通信端末等を用いて開催されるセッションを再開することを容易にする画像管理システムを提供する。【解決手段】画像管理システムは、通信端末間で確立されるセッションを通じて伝送される情報のうち、少なくとも前記通信端末から出力される画像に係る画像情報を前記セッションの識別情報と対応づけて記憶する記憶部と、第１の通信端末及び第２の通信端末が参加する所定のセッションにおいて、前記記憶部に前記画像情報が記憶されたセッションのうち、前記第１の通信端末及び前記第２の通信端末が参加したセッションの画像情報を前記セッションに参加する通信端末に送信する送信部と、を有する。【選択図】図７
2016152505.tif 000002
【特許請求の範囲】
【請求項１】
通信端末間で確立されるセッションを通じて伝送される情報のうち、少なくとも前記通信端末から出力される画像に係る画像情報を前記セッションの識別情報と対応づけて記憶する記憶部と、
第１の通信端末及び第２の通信端末が参加する所定のセッションにおいて、前記記憶部に前記画像情報が記憶されたセッションのうち、前記第１の通信端末及び前記第２の通信端末が参加したセッションの画像情報を前記セッションに参加する通信端末に送信する送信部と、
を有する画像管理システム。
【請求項２】
前記記憶部に前記画像情報が記録されたセッションのうち、前記第１の通信端末及び前記第２の通信端末が参加した１つ以上のセッションの情報を前記第１の通信端末に送信し、
前記第１の通信端末から受信した、前記１つ以上のセッションのうちの一のセッションを指定する情報に基づいて、前記送信するセッションの画像情報を前記記憶部から取得する取得部を有する請求項１に記載の画像管理システム。
【請求項３】
前記セッションの識別情報と、前記セッションに参加する通信端末の識別情報とを対応づけて管理する管理部を有し、
前記取得部は、
前記第１の通信端末の識別情報と、前記第２の通信端末の識別情報と、前記管理部が管理する情報と、に基づいて、前記第１の通信端末及び前記第２の通信端末が参加したセッションを特定する請求項２に記載の画像管理システム。
【請求項４】
前記所定のセッションは、複数の拠点で開催される遠隔授業又は遠隔会議であることを特徴とする請求項１乃至３のいずれか一項に記載の画像管理システム。
【請求項５】
請求項２又は３に記載の画像管理システムと通信可能な通信端末であって、
前記画像管理システムから受信した１つ以上のセッションの情報を表示部に選択可能に表示させる表示制御部と、
前記表示部に表示させた１つ以上のセッションの情報のうち、利用者によって選択された一のセッションを指定する情報を前記画像管理システムに送信する通信制御部と、
を有する通信端末。
【請求項６】
前記表示部に表示させた１つ以上のセッションの情報は、前記１つ以上のセッションが開催された日時の情報を含む請求項５に記載の通信端末。
【請求項７】
請求項２又は３に記載の画像管理システムと、
請求項５に記載の通信端末と、
を備えたことを特徴とする通信システム。
【請求項８】
請求項１乃至４のいずれか一項に記載の画像管理システムと、複数の通信端末と、を含む通信システムであって、
前記複数の通信端末の各々は、
入力操作に応じた画像を表示部に出力し、
前記表示部に出力した画像に係る画像情報を、他の通信端末に送信すると共に、前記画像管理システムに送信することを特徴とする通信システム。
【請求項９】
通信端末間で確立されるセッションを通じて伝送される情報のうち、少なくとも前記通信端末から出力される画像に係る画像情報を前記セッションの識別情報と対応づけて記憶する記憶手段と、
第１の通信端末及び第２の通信端末が参加する所定のセッションにおいて、前記記憶部に前記画像情報が記憶したセッションのうち、前記第１の通信端末及び前記第２の通信端末が参加したセッションの画像情報を前記セッションに参加する通信端末に送信する送信手段と、
としてコンピュータを機能させるためのプログラム。
【請求項１０】
画像管理システムによる画像管理方法であって、
前記画像管理システムが、通信端末間で確立されるセッションを通じて伝送される情報のうち、少なくとも前記通信端末から出力される画像に係る画像情報を前記セッションの識別情報と対応づけて記憶する記憶ステップと、
第１の通信端末及び第２の通信端末が参加する所定のセッションにおいて、前記画像管理システムが、前記記憶ステップで前記画像情報が記憶されたセッションのうち、前記第１の通信端末及び前記第２の通信端末が参加したセッションの画像情報を前記セッションに参加する通信端末に送信する送信ステップと、
を含む画像管理方法。
【発明の詳細な説明】
【技術分野】
【０００１】
本発明は、画像管理システム、通信端末、通信システム、画像管理方法、及びプログラムに関する。
【背景技術】
【０００２】
近年、会議等への参加者の移動の経費や時間を削減するという要請等に伴い、インターネットや専用線等の通信ネットワークを介して通話や会議等を行う通信システムが普及している。このような通信システムでは、通信端末間で通信を開始すると、画像データ及び音声データ等のコンテンツデータの送受信が行われ、拠点間のコミュニケーションを実現する。また、拠点間のコミュニケーションを円滑に行うために、通話用のコンテンツに加えて、他のコンテンツを拠点間で共有する方法が提案されている。
【０００３】
例えば、複数の端末装置間で音声の送受信を行い、さらに、複数の端末間で画像及び手書きデータの送受信を行えるようにセッションを制御することにより、画像を指し示しながら音声通話を可能とする技術が知られている（例えば、特許文献１参照）。
【発明の概要】
【発明が解決しようとする課題】
【０００４】
特許文献１に開示された技術を用いて、例えば、離れた場所にある複数の拠点間で遠隔授業等のセッションを開催することができる。このような、通信システムを用いて遠隔授業を行う場合、例えば、以前に遠隔授業を行ったときの板書情報を用いて、続きの授業を行いたい場合がある。しかし、共用の通信端末を用いて遠隔授業等のセッションを開催した場合、手書き入力された画像情報を記録しておいたとしても、不特定の利用者によって記録された複数の画像情報の中から、前回のセッションの画像情報を選択して利用することは困難である。
【０００５】
このように、従来の技術では、インタラクティブホワイトボード等の共用の通信端末を用いて開催される遠隔授業等のセッションにおいて、過去のセッションで記録された画像情報を利用してセッションを再開することには困難を伴っていた。
【０００６】
本発明の実施の形態は、上記問題点に鑑みてなされたものであって、共用の通信端末等を用いて開催されるセッションを再開することを容易にする画像管理システムを提供することを目的とする。
【課題を解決するための手段】
【０００７】
上記課題を解決するため、本発明の一実施形態に係る画像管理システムは、通信端末間で確立されるセッションを通じて伝送される情報のうち、少なくとも前記通信端末から出力される画像に係る画像情報を前記セッションの識別情報と対応づけて記憶する記憶部と、第１の通信端末及び第２の通信端末が参加する所定のセッションにおいて、前記記憶部に前記画像情報が記憶されたセッションのうち、前記第１の通信端末及び前記第２の通信端末が参加したセッションの画像情報を前記セッションに参加する通信端末に送信する送信部と、を有する。
【発明の効果】
【０００８】
本発明の実施の形態によれば、共用の通信端末等を用いて開催されるセッションを再開することを容易にする画像管理システムを提供することができる。
【図面の簡単な説明】
【０００９】
【図１】一実施形態に係る通信システムの構成例を示す図である。
【図２】一実施形態に係るインタラクティブホワイトボードの外観図である。
【図３】一実施形態に係る通信端末及びインタラクティブホワイトボードのハードウェア構成例を示す図である。
【図４】一実施形態に係るコンピュータのハードウェア構成例を示す図である。
【図５】一実施形態に係る情報端末のハードウェア構成例を示す図である。
【図６】一実施形態に係る通信システムの機能構成図である。
【図７】一実施形態に係る画像情報管理部及びセッション管理部の構成図である。
【図８】一実施形態に係る認証管理テーブル及び端末管理テーブルの例を示す図である。
【図９】一実施形態に係るセッション管理テーブルの例を示す図である。
【図１０】一実施形態に係る認証処理の例を示すシーケンスチャートである。
【図１１】一実施形態に係るセッション確立処理の例を示すシーケンスチャートである。
【図１２】一実施形態に係る画像情報の蓄積処理の例を示すシーケンスチャートトである。
【図１３】一実施形態に係る画像情報管理テーブルの例を示す図である。
【図１４】一実施形態に係る画像情報の復元処理の例を示すシーケンスチャートである。
【図１５】一実施形態に係る通信端末の画像情報の選択画面の例を示す図である。
【図１６】一実施形態に係る通信端末の表示画面の例を示す図である。
【図１７】一実施形態に係る画像情報を復元した後の処理の一例を示すシーケンスチャートである。
【図１８】一実施形態に係る通信システムの別の構成例を示す図である。
【発明を実施するための形態】
【００１０】
以下、本発明の実施形態について説明する。
【００１１】
＜システム構成＞
図１は、本発明の一実施形態に係る通信システムの構成例を示す図である。通信システム１００は、例えば、インターネットやＬＡＮ（Local Area Network）等のネットワーク１０４に接続された通信管理システム１０１、複数の通信端末１０２ａ、１０２ｂ、１０２ｃ、１０２ｄ、１０２ｅ、及び中継装置１０３等を含む。尚、以下の説明の中で、複数の通信端末１０２ａ〜１０２ｅのうち、任意の通信端末を示す場合、「通信端末１０２」を用いる。
【００１２】
通信管理システム（画像管理システム）１０１は、通信システム１００を用いて開催される遠隔授業やテレビ会議等のセッションを管理する情報処理装置である。通信管理システム１０１は、例えば、複数の通信端末１０２ａ〜１０２ｅのログイン認証、接続状態の管理、セッションの開始／終了時の接続制御、各種の情報の管理等を行う。
【００１３】
複数の通信端末１０２ａ〜１０２ｅは、本実施形態に係る通信端末１０２の一例である。通信端末１０２は、例えば、ＰＣ（Personal Computer）、タブレット端末、スマートフォン等の汎用の情報端末であっても良いし、例えば、テレビ会議装置等の専用の通信端末等であっても良い。また、通信端末１０２は、例えば、手書入力された画像情報等を、セッションに参加する他の通信端末１０２と共有するインタラクティブホワイトボード（Interactive Whiteboard、以下、ＩＷＢと呼ぶ）等であっても良い。尚、通信端末１０２が汎用の情報処理装置である場合、通信端末１０２の各機能は、例えば、通信端末１０２にインストールされた通信システム１００に対応したアプリケーションプログラム（以下、アプリと呼ぶ）によって実現される。
【００１４】
図１の例では、通信端末１０２ａ、１０２ｅはＰＣ、通信端末１０２ｂ、１０２ｃはＩＷＢ、通信端末１０２ｄはタブレット端末やスマートフォン等の情報端末であるものとする。また、本実施形態に係るＩＷＢ（通信端末１０２ｂ、１０２ｃ）は、例えば、カメラ、マイク、スピーカ等を内蔵又は外付けし、他の通信端末１０２と同様に、音声や画像の送受信を行うことができるものとして、以下の説明を行う。
【００１５】
上記の構成により、本実施形態に係る通信システム１００では、通信端末１０２の利用者は、他の通信端末１０２の利用者と、例えば、リアルタイムに送受信される画像や音声を用いて、遠隔授業やテレビ会議等のセッションを行うことができる。また、各通信端末１０２は、例えば、手書き入力された文字、図形、記号等の画像情報を共有することができる。
【００１６】
例えば、図１において、遠隔授業の講師は、拠点Ａ１０５に設置された通信端末１０２ａを用いて、通信端末１０２ｂが設置された拠点Ｂ１０６にいる１人以上の受講者に対して遠隔授業を行うことができる。このとき、拠点Ａ１０５において、講師によって通信端末１０２ａに入力された画像情報（例えば、手書きの文字、図形等）は、拠点Ｂ１０６の通信端末１０２ｂにも表示される。同様に、拠点Ｂ１０６において、受講者によって通信端末１０２ｂに入力された画像情報は、拠点Ａ１０５の通信端末１０２ａにも表示される。
【００１７】
このとき、本実施形態に係る通信管理システム１０１は、通信端末１０２ａ、１０２ｂに入力された画像情報を、画像情報ＤＢ（Database）に記録する。また、例えば、遠隔授業の講師は、再度、通信端末１０２ａと通信端末１０２ｂとの間で遠隔授業を行うとき、画像情報ＤＢに記録された複数の画像情報の中から、前回の遠隔授業で記録された画像情報を呼び出し、前回の授業の続きを行うことができる。
【００１８】
また、別の一例として、図１において、遠隔授業の講師は、例えば、拠点Ｂ１０６に設置された通信端末１０２ｂを用いて、複数の通信端末１０２ｃ、１０２ｄ、１０２ｅ等が接続された拠点Ｃ１０７にいる複数の受講者に対して遠隔授業を行うものであっても良い。このとき、拠点Ｂ１０６において、講師によって通信端末１０２ｂに入力された画像情報は、拠点Ｃ１０７の複数の通信端末１０２ｃ、１０２ｄ、１０２ｅにも表示される。同様に、拠点Ｃ１０７において、受講者によって、例えば、通信端末１０２ｃに入力された画像情報は、拠点Ｂ１０６の通信端末１０２ｂ及び、拠点Ｃ１０７の通信端末１０２ｄ、１０２ｅにも表示される。
【００１９】
尚、遠隔授業は、通信システム１００で開催される所定のセッションの一例である。通信システム１００で開催される所定のセッションは、会議や、プレゼンテーション等であっても良い。さらに、各拠点（Ａ、Ｂ、Ｃ）には、例えば、プロジェクタ、電子看板(デジタルサイネージ)等の、通信端末１０２ａ〜１０２ｅの以外の通信端末が、ネットワーク１０４を介して通信可能に配置されていても良い。
【００２０】
＜ハードウェア構成＞
次に、本実施形態のハードウェア構成を説明する。
【００２１】
（ＩＷＢの外観）
図２は、一実施形態に係るインタラクティブホワイトボード（ＩＷＢ）の外観図である。尚、ＩＷＢは、通信端末１０２の一例である。
【００２２】
ＩＷＢ２００（通信端末１０２ｂ、１０２ｃ）は、例えば、ディスプレイ２０１、スタンド２０２、及び機器収納部２０３を有する。ディスプレイ２０１は、液晶パネル又はプラズマパネル等のフラットパネルからなり、ディスプレイ２０１の筐体前面には画像を表示する表示面２０４及びタッチパネル２０５が設けられている。
【００２３】
また、ＩＷＢ２００は、遠隔会議やテレビ会議等の画像を撮像するカメラ２０６、音声を出力するスピーカ２０７、音声を取得するマイク２０８等を、例えば、ディスプレイ２０１等に備えていても良い。或いは、カメラ２０６、スピーカ２０７、マイク２０８等は、ＩＷＢ２００に外付けされていても良い。
【００２４】
入力装置２０９には、信号送信装置が設けられており、入力装置２０９のペン先を表示面２０４に接触させると、信号送信装置は、筆記検知信号（接触検知信号）を無線信号として送信する。入力装置２０９によって送信された筆記検知信号がＩＷＢ２００側で受信されたことを契機として、ディスプレイ２０１は、タッチパネル２０５により検知された座標位置に書き込まれた文字や図形等を表示する。
【００２５】
また、入力装置２０９のペン尻を表示面２０４に接触させると、信号送信装置は、消去検知信号（接触検知信号）を無線信号として送信する。入力装置２０９によって送信された消去検知信号がＩＷＢ２００側で受信されたことを契機として、ディスプレイ２０１は、タッチパネル２０５により検知された座標位置に書き込まれた文字や図形等を表示面２０４から消去する。
【００２６】
機器収納部２０３は、例えば、ＩＷＢ２００の本体等の各種機器が収納されている。また、機器収納部２０３の上面には、入力操作を行うキーボード２１０が搭載されている。
【００２７】
（ＩＷＢのハードウェア構成）
図３は、一実施形態に係るインタラクティブホワイトボードのハードウェア構成例を示す図である。ＩＷＢ２００は、ＣＰＵ(Central Processing Unit)３０１、ＲＯＭ(Read Only Memory)３０２、ＲＡＭ(Random Access Memory)３０３、フラッシュメモリ３０４、ＳＳＤ（Solid State Drive）３０５、メディアドライブ３０７、及びキーボード３０８を有する。また、ＩＷＢ２００は、電源スイッチ３０９、ネットワークＩ／Ｆ(Interface)３１１、カメラ２０６、撮像素子Ｉ／Ｆ３１２、スピーカ２０７、マイク２０８、音声Ｉ／Ｆ３１３、ディスプレイ２０１、及びディスプレイＩ／Ｆ３１４を有する。さらに、ＩＷＢ２００は、タッチパネル２０５、タッチパネルＩ／Ｆ３１５、信号受信装置３１６、外部機器Ｉ／Ｆ３１７、アラームランプ３１８、及びバス３１０等を有する。
【００２８】
ＣＰＵ３０１は、例えば、ＲＯＭ３０２や、フラッシュメモリ３０４等からプログラムやデータを読出し、処理を実行することで、ＩＷＢ２００が備える各機能を実現する演算装置である。ＲＯＭ３０２は、ＩＰＬ(Initial Program Loader)等のＣＰＵ３０１の起動に用いられるプログラム等を予め記憶した不揮発性のメモリである。ＲＡＭ３０３は、ＣＰＵ３０１のワークエリア等として利用される揮発性のメモリである。
【００２９】
フラッシュメモリ３０４は、例えば、ＯＳ（Operating System）、アプリケーションプログラム、及び各種のデータ等を記憶するストレージデバイスである。ＳＳＤ３０５は、ＣＰＵ３０１の制御に従ってフラッシュメモリ３０４に対する各種データの読み出し又は書き込みを制御する。メディアドライブ３０７は、例えば、メモリカード等の記録メディア３０６に対するデータの読み出し又は書き込み（記憶）を制御する。
【００３０】
キーボード３０８は、ＩＷＢ２００の利用者の操作を受け付ける入力装置である。電源スイッチ３０９は、ＩＷＢ２００の電源のオン／オフを切り替えるためのスイッチである。ネットワークＩ／Ｆ３１１は、ネットワーク１０４を利用してデータ伝送をするための通信インタフェースである。
【００３１】
カメラ２０６は、ＣＰＵ３０１の制御に従って被写体を撮像するための、例えば、ＣＭＯＳ(Complementary Metal Oxide Semiconductor)や、ＣＣＤ（Charge Coupled Device）等の撮像素子を含む。撮像素子Ｉ／Ｆ３１２は、カメラ２０６による撮像を制御すると共に、撮像したデータを所定の画像データに変換する。スピーカ２０７は、音声信号を音声に変換して出力する。マイク２０８は、収音した音声を電気信号に変換する。音声Ｉ／Ｆ３１３は、スピーカ２０７及びマイク２０８による音声の入出力を制御する。
【００３２】
ディスプレイ２０１は、例えば、ＬＣＤ（Liquid Crystal Display）等の表示装置である。ディスプレイＩ／Ｆ３１４は、ＣＰＵ３０１の制御に従って、ディスプレイ２０１による画像の表示を制御する。
【００３３】
タッチパネル２０５は、入力装置２０９による入力を受け付ける入力装置である。タッチパネルＩ／Ｆ３１５は、タッチパネル２０５用の制御インタフェースである。信号受信装置３１６は、入力装置２０９から送信された接触検知信号を受信して、この接触検知信号をタッチパネル２０５へ出力する。
【００３４】
外部機器Ｉ／Ｆ３１７は、各種の外部機器を接続するための、例えば、ＵＳＢ(Universal Serial Bus)等のインタフェースである。アラームランプ３１８は、ＩＷＢ２００の各種機能の異常等を知らせる発光素子を含む。バス３１０は、上記の各構成要素を電気的に接続し、アドレス信号、データ信号、及び各種の制御信号等を伝達する。
【００３５】
上記の構成により、タッチパネル２０５の制御回路であるタッチパネルドライバは、入力装置２０９から送られてきた接触検知信号により入力操作が行われていることを認識し、入力装置２０９による入力操作に対応する画像情報（ストローク情報等）を出力する。また、ディスプレイ２０１は、入力操作を契機としてタッチパネルドライバによって出力された画像情報や、ネットワーク１０４を介して他の通信端末１０２から送られてきた画像情報に基づく画像を重畳的に出力する。
【００３６】
（通信管理システムのハードウェア構成）
図１の通信管理システム１０１は、一般的なコンピュータのハードウェア構成を有している。尚、中継装置１０３も、同様の構成であっても良い。
【００３７】
図４は、一実施形態に係るコンピュータのハードウェア構成例を示す図である。コンピュータ４００は、ＣＰＵ４０１、ＲＯＭ４０２、ＲＡＭ４０３、ＨＤ（Hard Disk）４０４、ＨＤＤ（Hard Disk Drive）４０５、メディアドライブ４０７、ディスプレイ４０８、ネットワークＩ／Ｆ４０９、キーボード４１１、マウス４１２、光学ドライブ４１４、及びバス４１０等を有する。
【００３８】
ＣＰＵ４０１は、例えば、ＲＯＭ４０２、ＨＤ４０４等に格納されたプログラムやデータを読出し、処理を実行することにより、コンピュータ４００が備える各機能を実現する演算装置である。ＲＯＭ４０２は、ＩＰＬ等のＣＰＵ４０１の起動に用いられるプログラム等を予め記憶した不揮発性のメモリである。ＲＡＭ４０３は、ＣＰＵ４０１のワークエリア等として利用される揮発性のメモリである。
【００３９】
ＨＤ４０４は、例えば、ＯＳや、アプリケーションプログラム等のプログラムや、各種のデータを記憶するストレージ装置である。ＨＤＤ４０５は、ＣＰＵ４０１の制御に従って、ＨＤ４０４に対する各種データの読み出し又は書き込みを制御する。ディスプレイ４０８は、例えば、カーソル、メニュー、ウィンドウ、文字、又は画像等の各種の情報を表示する表示装置である。
【００４０】
ネットワークＩ／Ｆ４０９は、ネットワーク１０４を利用してデータ通信を行うための通信インタフェースである。キーボード４１１は、利用者による文字、数値、各種指示などの入力操作を受け付けるための入力装置の一例である。マウス４１２は、利用者による各種指示の選択や実行、処理対象の選択、カーソルの移動等の操作を受け付けるポインティングデバイスの一例である。
【００４１】
メディアドライブ４０７は、例えば、メモリカード等の記録メディア４０６に対するデータの読み出し又は書き込み（記憶）を制御する。光学ドライブ４１４は、着脱可能な記録媒体の一例としての各種の光学ディスク４１３に対するデータの読み出し又は書き込みを制御する。バス４１０は、上記の各構成要素を電気的に接続し、アドレス信号、データ信号、及び各種の制御信号等を伝達する。
【００４２】
尚、上記のコンピュータのハードウェア構成はあくまで一例である。例えば、ディスプレイ４０８、キーボード４１１、マウス４１２等は、コンピュータ４００の外部に外付けされているものであっても良い。
【００４３】
（情報端末のハードウェア構成）
次に、図１の通信端末１０２ａ、１０２ｄ、１０２ｅ等の、ＩＷＢ２００以外の通信端末１０２である情報端末構成について説明する。
【００４４】
図５は、一実施形態に係る情報端末のハードウェア構成例を示す図である。情報端末５００は、例えば、デスクトップＰＣ、ノートＰＣ、タブレット端末、スマートフォン等の情報処理装置であり、一般的なコンピュータの構成を含む。図５の例では、情報端末５００は、ＣＰＵ５０１、ＲＡＭ５０２、ＲＯＭ５０３、ストレージ部５０４、外部Ｉ／Ｆ部５０５、通信部５０６、カメラ部５０７、マイク部５０８、スピーカ部５０９、表示部５１０、入力部５１１、及びバス５１２等を有する。
【００４５】
ＣＰＵ５０１は、ＲＯＭ５０３やストレージ部５０４等に格納されたプログラムやデータをＲＡＭ５０２上に読み出し、処理を実行することで、情報端末５００の各機能を実現する演算装置である。ＲＡＭ５０２は、ＣＰＵ５０１のワークエリア等として用いられる揮発性のメモリである。ＲＯＭ５０３は、電源を切ってもプログラムやデータを保持することができる不揮発性のメモリである。ストレージ部５０４は、例えば、ＨＤＤ、ＳＳＤ、フラッシュＲＯＭ等のストレージ装置であり、ＯＳ、アプリケーションプログラム、及び各種データ等を記憶する。
【００４６】
外部Ｉ／Ｆ５０５は、外部装置を接続するためのインタフェースである。通信部５０６は、ネットワーク１０４を利用してデータ通信を行うための通信インタフェースである。
【００４７】
カメラ部５０７は、画像を撮像する撮像素子を含み、撮像した画像を所定の画像データに変換する。マイク部５０８は、マイクロフォン等の収音素子を含み、収音した音声を電気信号に変換し、さらに所定の音声データに変換する。スピーカ部５０９は、入力された音声データを音声信号に変換し、音声に変換して出力する。
【００４８】
表示部５１０は、例えば、ＬＣＤ等の表示素子を含み、情報端末５００で実行されるプログラム等による表示画面を表示する。入力部５１１は、例えば、タッチパネルや、キーボード等の入力用の素子を含み、利用者による入力操作を受け付ける。尚、表示部５１０、及び入力部５１１は、例えば、一体型のタッチパネルディスプレイ等の表示入力部５１３であっても良い。バス５１２は、上記の各構成に共通に接続され、アドレス信号、データ信号、及び各種の制御信号等を伝達する。
【００４９】
尚、上記の情報端末５００のハードウェア構成はあくまで一例である。例えば、表示部５１０、入力部５１１、カメラ部５０７、マイク部５０８、及びスピーカ部５０９のうちの一部は、情報端末５００の外部に設けられているものであっても良い。
【００５０】
＜機能構成＞
次に、本実施形態に係る通信システム１００の機能構成について説明する。
【００５１】
図６は、一実施形態に係る通信システムの機能構成図である。通信システム１００は、ネットワーク１０４に接続された通信管理システム１０１、複数の通信端末１０２、及び中継装置１０３を有する。
【００５２】
図６において、通信管理システム１０１は、複数の通信端末１０２間の通信を管理する。複数の通信端末１０２は、通信管理システム１０１の管理に従って、中継装置１０３を介して互いに通信を行うことができる。中継装置１０３は、複数の通信端末１０２間で送受信される画像、音声等の情報を中継する。
【００５３】
（通信端末の機能構成）
通信端末１０２は、送受信部６１２、操作入力受付部６１３、表示部６１４、表示制御部６１５、通信制御部６１６、画像音声入出力部６１７、記憶・読出し部６１８、及び記憶部６１９等を有している。
【００５４】
送受信部６１２は、ネットワーク１０４を介して、通信管理システム１０１、他の通信端末１０２、中継装置１０３等と各種データ（または情報）の送受信を行うための手段である。通信端末１０２がＩＷＢ２００である場合、送受信部６１２は、図３のＣＰＵ３０１で動作するプログラム、及びネットワークＩ／Ｆ３１１等によって実現される。また、通信端末１０２が、情報端末５００である場合、送受信部６１２は、図５のＣＰＵ５０１で動作するプログラム、及び通信部５０６等によって実現される。
【００５５】
操作入力受付部６１３は、利用者による入力操作や選択操作等を受け付ける。通信端末１０２がＩＷＢ２００である場合、操作入力受付部６１３は、図３のＣＰＵ３０１で動作するプログラム、キーボード３０８、タッチパネル２０５、タッチパネルＩ／Ｆ３１５、及び信号受信装置３１６等によって実現される。また、通信端末１０２が、情報端末５００である場合、操作入力受付部６１３は、図５のＣＰＵ５０１で動作するプログラム、入力部５１１（又は表示入力部５１３）等によって実現される。
【００５６】
表示部６１４は、表示制御部６１５の制御に応じて表示画像を表示するための手段である。通信端末１０２がＩＷＢ２００である場合、表示部６１４は、ディスプレイ２０１等によって実現される。また、通信端末１０２が、情報端末５００である場合、表示部６１４は、図５の表示部５１０に対応する。
【００５７】
表示制御部６１５は、例えば、通信先の通信端末１０２等から送られてきた画像情報や、自装置に入力された画像情報等を表示部６１４に表示させるための制御を行う。通信端末１０２がＩＷＢ２００である場合、表示制御部６１５は、図３のＣＰＵ３０１で動作するプログラム、及びディスプレイＩ／Ｆ３１４等によって実現される。また、通信端末１０２が、情報端末５００である場合、表示制御部６１５は、図５のＣＰＵ５０１で動作するプログラム等によって実現される。
【００５８】
通信制御部６１６は、例えば、通信管理システム１０１へのログイン処理、セッションの確立、切断等の各種の通信制御を行う。通信端末１０２がＩＷＢ２００である場合、通信制御部６１６は、図３のＣＰＵ３０１で動作するプログラムによって実現される。また、通信端末１０２が、情報端末５００である場合、表示制御部６１５は、図５のＣＰＵ５０１で動作するプログラムによって実現される。
【００５９】
画像音声入出力部６１７は、例えば、遠隔授業、テレビ会議等のセッションの音声入出力処理や、セッションの画像（会議映像等）の入力処理等を行う。通信端末１０２がＩＷＢ２００である場合、画像音声入出力部６１７は、図３のＣＰＵ３０１で動作するプログラム、撮像Ｉ／Ｆ３１２、音声Ｉ／Ｆ３１３等によって実現される。また、通信端末１０２が、情報端末５００である場合、画像音声入出力部６１７は、図５のＣＰＵ５０１で動作するプログラム、カメラ部５０７、マイク部５０８、スピーカ部５０９等によって実現される。
【００６０】
記憶・読出部６１８は、記憶部６１９への各種のデータの書き込み、読出し等の制御を行う。通信端末１０２がＩＷＢ２００である場合、記憶・読出部６１８は、図３のＣＰＵ３０１で動作するプログラム、及びＳＳＤ３０５等によって実現される。また、通信端末１０２が、情報端末５００である場合、画像音声入出力部６１７は、図５のＣＰＵ５０１で動作するプログラム等によって実現される。
【００６１】
記憶部６１９は、各種のデータや情報等を記憶する手段である。通信端末１０２がＩＷＢ２００である場合、記憶部６１９は、図３のＲＡＭ３０３やフラッシュメモリ３０４等によって実現される。また、通信端末１０２が、情報端末５００である場合、記憶部６１９は、図５のＲＡＭ５０２や、ストレージ部５０４等によって実現される。
【００６２】
（通信管理システムの機能構成）
通信管理システム１０１は、送受信部６０１、認証部６０２、状態管理部６０３、セッション管理部６０４、画像情報管理部６０５、記憶・読出部６０６、及び記憶部６０７等を有する。
【００６３】
送受信部６０１は、ネットワーク１０４を介して、複数の通信端末１０２、中継装置１０３等と各種データ（または情報）の送受信を行うための手段である。送受信部６０１は、例えば、図４のＣＰＵ４０１で動作するプログラム、及びネットワークＩ／Ｆ４０９等によって実現される。
【００６４】
認証部６０２は、例えば、送受信部６０１を介して、通信端末１０２から受信したログイン要求に含まれる通信ＩＤ及びパスワードが、記憶部６０７に記憶した認証管理ＤＢ６０８に含まれているか否かを判断することによって通信端末１０２の認証を行う。認証部６０２は、例えば、図４のＣＰＵ４０１で動作するプログラムによって実現される。
【００６５】
状態管理部６０３は、記憶部６０７に記憶した端末管理ＤＢ６０９を利用して、通信システム１００に含まれる複数の通信端末１０２の稼働状態（例えば、通話中、通話可能、通話不可等）を管理する。状態管理部６０３は、例えば、図４のＣＰＵ４０１で動作するプログラムによって実現される。
【００６６】
セッション管理部６０４は、図４のＣＰＵ４０１で動作するプログラムによって実現され、例えば、図７に示すように、セッション制御部７０１と、セッション情報管理部７０２とを含む。
【００６７】
セッション制御部７０１は、複数の通信端末１０２による、例えば、遠隔授業や、遠隔会議等のセッションの確立、確立されたセッションへの通信端末１０２の参加、セッションの切断等、セッションの接続制御を行う。
【００６８】
セッション情報管理部（管理部）７０２は、複数の通信端末１０２間で行われるセッションにおいて、セッションの識別情報（セッションＩＤ）と、セッションに参加する通信端末１０２の識別情報（通信ＩＤ）とを対応づけて管理する。例えば、セッション情報管理部７０２は、図１の通信端末１０２ａと、通信端末１０２ｂが参加するセッションのセッションＩＤと、通信端末１０２ａの通信ＩＤと、通信端末１０２ｂの通信ＩＤと、を対応づけてセッション管理ＤＢ６１０に記録する。これにより、通信管理システム１０１は、通信端末１０２ａと通信端末１０２ｂが過去に参加したセッションのセッションＩＤの一覧等を容易に取得することができる。
【００６９】
図６の画像情報管理部６０５は、図４のＣＰＵ４０１で動作するプログラムによって実現され、例えば、図７に示す取得制御部７０３、画像情報送信部７０４、画像情報記録部７０５等を含む。
【００７０】
画像情報記録部７０５は、複数の通信端末１０２間で行われるセッションにおいて送信される情報のうち、少なくとも複数の通信端末１０２において出力（表示）される画像に関する画像情報を、セッションＩＤと対応づけて画像情報ＤＢ６１１に記録する。
【００７１】
例えば、画像情報記録部７０５は、図１の通信端末１０２ａと通信端末１０２ｂとが参加するセッションにおいて、通信端末１０２ａ及び通信端末１０２ｂが出力する画像の画像情報を、セッションＩＤと対応づけて記録する。或いは、画像情報記録部７０５は、通信端末１０２ａと通信端末１０２ｂが参加するセッションにおいて、通信端末１０２ａに入力された画像情報、及び通信端末１０２ｂに入力された画像情報を、セッションＩＤと対応づけて画像情報ＤＢ６１１に記録（記憶）する。
【００７２】
取得制御部７０３は、通信端末１０２ａと通信端末１０２ｂが参加するセッションにおいて、通信端末１０２ａの通信ＩＤ及び通信端末１０２ｂの通信ＩＤに基づいて、通信端末１０２ａと通信端末１０２ｂが過去に参加したセッションの画像情報を取得する。
【００７３】
例えば、取得制御部（取得部）７０３は、通信端末１０２ａと通信端末１０２ｂが参加するセッションにおいて、画像情報が記録されたセッションのうち、通信端末１０２ａと通信端末１０２ｂが参加した１つ以上のセッションの情報を通信端末１０２ａに送信する。また、取得制御部７０３は、通信端末１０２ａから受信した、上記の１つ以上のセッションの情報のうちの一のセッションを指定する情報に基づいて、セッションに参加する通信端末１０２に送信するセッションの情報を、画像情報ＤＢ６１１から取得する。
【００７４】
画像情報送信部（送信部）７０４は、第２のセッションにおいて、画像情報ＤＢ６１１に記憶されたセッションのうち、通信端末１０２ａ及び通信端末１０２ｂが参加したセッションの画像情報を、第２のセッションに参加する通信端末１０２に送信する。例えば、画像情報送信部７０４は、取得制御部７０３が画像情報ＤＢ６１１から取得した画像情報を、第２のセッションに参加する通信端末１０２ａに送信する。通信端末１０２ａに送信された第１のセッションの画像情報は、通信端末１０２ａに表示されると共に、画像情報を共有する通信端末１０２ｂ等の他の通信端末１０２にも表示される。
【００７５】
図６に戻って、通信管理システム１０１の機能構成の説明を続ける。
【００７６】
記憶・読出部６０６は、記憶部６０７に対する各種データの記憶や、読出し等の処理を行う。記憶・読出部６０６は、例えば、図４のＣＰＵ４０１で動作するプログラムによって実現される。
【００７７】
記憶部６０７、例えば、認証管理ＤＢ６０８、端末管理ＤＢ６０９、セッション管理ＤＢ６１０、画像情報ＤＢ６１１を含む各種の情報や、データ等を記憶する手段であり、例えば、図４のＨＤ４０４や、ＲＡＭ４０３等によって実現される。
【００７８】
（中継装置の機能）
中継装置１０３は、セッションに参加する通信端末１０２から送信された画像データ、音声データ、画像情報等のデータを、セッションに参加する他の通信端末１０２に転送する。
【００７９】
例えば、図１において、拠点Ａの通信端末１０２ａと、拠点Ｂの通信端末１０２ｃ、１０２ｄ、１０２ｅとの間で遠隔授業（セッションの一例）が行われているものとする。この場合、通信端末１０２ｃに手書き入力された画像情報は中継装置１０３に送信される。通信端末１０２ｃから画像情報を受信した中継装置１０３は、セッションに参加する通信端末１０２ａ、１０２ｄ、１０２ｅに受信した画像情報を転送する。
【００８０】
中継装置１０３を有することにより、多数の通信端末１０２を用いたセッションにおいて、通信端末１０２は送信データを中継装置１０３に送信すれば良く、通信先の複数の通信端末１０２にそれぞれデータを送信しなくても良い。従って、中継装置１０３により、通信端末１０２の通信処理の負荷を低減させることができる。尚、通信システム１００は、中継装置１０３を介さずに、例えば、２つの通信端末１０２がピアツーピア等で通信可能なものであっても良い。
【００８１】
次に、通信管理システム１０１の記憶部６０７に記憶されている認証管理ＤＢ６０８、端末管理ＤＢ６０９、セッション管理ＤＢ６１０について説明する。尚、画像情報ＤＢ６１１については、処理の流れの説明の中で後述する。
【００８２】
（認証管理ＤＢ）
通信管理システム１０１の記憶部６０７には、例えば、図８（ａ）に示されているような認証管理テーブル８０１を含む認証管理ＤＢ６０８が構築されている。この認証管理テーブルでは、通信管理システム１０１が管理する各通信端末１０２の識別情報である通信ＩＤと、パスワードとが対応づけて管理されている。
【００８３】
尚、本実施形態に係る通信ＩＤは、通信端末１０２に予め記憶されているＩＤでも良いし、ユーザが通信端末に対して入力するＩＤでも良い。或いは、通信ＩＤは、通信端末１０２に装着されたＳＩＭ（Subscriber Identity Module）等に記録された識別情報等であっても良い。通信ＩＤが、通信端末１０２に対して入力されたものである場合、通信管理システム１０１は、ログイン要求時に通信端末１０２から送信された通信ＩＤを、ログイン要求元の通信端末１０２に対応づけて管理するものであっても良い。これにより、通信ＩＤに基づいて通信端末１０２を識別することができるようになる。
【００８４】
尚、通信端末（１０２ａ、１０２ｂ、１０２ｃ）の通信ＩＤは、それぞれ「１０ａａ、１０ａｂ、１０ａｃ」であるものとして、以下の説明を続ける。
【００８５】
（端末管理ＤＢ）
通信管理システム１０１の記憶部６０７には、例えば、図８（ｂ）に示されているような端末管理テーブル８０２を含む端末管理ＤＢ６０９が構築されている。この端末管理テーブル８０２では、各通信端末１０２の通信ＩＤに対応づけて、通信端末１０２の宛先名、通信端末１０２の稼働状態、後述のログイン要求が通信管理システム１０１で受信された受信日時、通信端末１０２のＩＰアドレス等が管理されている。
【００８６】
尚、稼動状態には、各通信ＩＤに対応する通信端末１０２が、通信管理システム１０１に接続している状態であるオンラインであるか、或いは通信管理システム１０１に接続していない状態であるオフラインであるかが示されている。さらに、オンラインには、各通信ＩＤに対応する通信端末１０２が通信可能であることを示す「通信可能」、及び各通信ＩＤに対応する通信端末１０２が通信中であることを示す「通信中」の状態がある。
【００８７】
（セッション管理ＤＢ）
通信管理システム１０１の記憶部６０７には、例えば、図９に示されているようなセッション管理テーブル９０１を含むセッション管理ＤＢ６１０が構築されている。このセッション管理テーブル９０１では、通信管理システム１０１で開催されたセッションの識別情報であるセッションＩＤに対応づけて、開始日時、通信時間、要求元通信ＩＤ、宛先通信ＩＤ等の情報が管理されている。開始日時は、各セッションＩＤに対応するセッションが開始された日時を示す。通信時間は、各セッションＩＤに対応するセッションが開催された時間の長さを示す。要求元通信ＩＤは、各セッションＩＤに対応するセッションの開始を要求した通信端末１０２の通信ＩＤを示す。宛先通信ＩＤは、各セッションＩＤに対応するセッションにおいて、セッションの開始を要求する通信端末１０２によって指定された宛先の通信端末１０２の通信ＩＤを示す。尚、宛先の通信ＩＤは、１つであっても良いし、複数であっても良い。
【００８８】
＜処理の流れ＞
続いて、本実施形態に係る通信システム１００の処理の例について説明する。
【００８９】
（認証処理）
図１０は、一実施形態に係る認証処理の例を示すシーケンスチャートである。この処理は、各通信端末１０２が、通信管理システム１０１との間のセッション（以下、セッションｓｅｉと呼ぶ）を確立するための処理である。
【００９０】
ステップＳ１００１において、通信端末１０２の通信制御部６１６は、通信管理システム１０１にログインを要求するためのログイン要求を送信する。このステップは、例えば、通信端末１０２の電源をオンした場合、通信端末１０２において通信システム１００に対応するアプリを起動させた場合、又はアプリ上で所定の操作を行った場合等に実行される。このログイン要求には、例えば、ログインの要求元の通信端末１０２を識別するための要求元通信ＩＤ、パスワード、及び要求元の通信端末１０２のＩＰアドレス等が含まれる。これにより、通信管理システム１０１の送受信部６０１は、ログイン要求を受信し、ログイン要求に含まれる情報を取得する。
【００９１】
次に、通信管理システム１０１の認証部６０２は、受信したログイン要求に含まれる通信ＩＤとパスワードの組合せが、認証管理テーブル８０１に記録されているか否かを判断することにより、ログイン要求元の通信端末１０２の認証を行う（ステップＳ１００２）。そして、この認証により、正当な通信端末１０２であると判断された場合、状態管理部６０３は、端末管理テーブル８０２において、要求元の通信端末１０２に対応する通信ＩＤの稼動状態をオンライン（ＯＮライン）として管理する（ステップＳ１００３）。
【００９２】
次に、通信管理システム１０１の送受信部６０１は、ログイン要求元の通信端末１０２に対して、通信端末１０２が認証されたことを示す認証結果を送信する（ステップＳ１００４）。これにより、通信端末１０２の通信制御部６１６は、認証結果を受信する。そして、上記ステップＳ１００２により、正当な通信端末１０２であると判断された場合には、ログイン要求元の通信端末１０２と通信管理システム１０１との間で、セッションｓｅｉが確立される（ステップＳ１００５）。
【００９３】
尚、以下の説明の中で、通信端末１０２と通信管理システム１０１との間のセッションを「セッションｓｅｉ」と表記し、通信端末１０２間のセッションを「セッションｓｅｄ」と表記して区別する。
【００９４】
（通信端末間のセッション確立処理）
続いて、図１１を用いて、通信端末１０２間でコンテンツデータを送信するためのセッションであるセッションｓｅｄを確立する処理の例について説明する。
【００９５】
図１１は、一実施形態に係るセッション確立処理の例を示すフローチャートである。図１１において、通信端末１０２ａは、例えば、利用者による宛先情報の入力操作を受け付けると（ステップＳ１００１）、通信制御部６１６により、通信管理システム１０１に対し、通信の開始要求を送信する（ステップＳ１１０２）。この通信の開始要求には、通信の開始を要求する通信端末１０２ａの要求元通信ＩＤ、宛先の通信端末１０２ｂの宛先通信ＩＤ、及び通信端末１０２ａのＩＰアドレス等が含まれる。
【００９６】
通信の開始要求を受信した通信管理システム１０１の状態管理部６０３は、通信の開始要求に含まれる要求元の通信端末１０２ａの通信ＩＤに基づいて、端末管理ＤＢ６０９を更新する（ステップＳ１１０３）。例えば、状態管理部６０３は、図８（ｂ）の端末管理テーブル８０２において、要求元の通信端末１０２ａの通信ＩＤに対応する稼動状態を、「ＯＮライン（通信中）」に変更する。
【００９７】
次に、通信管理システム１０１のセッション管理部６０４は、新たなセッションＩＤを作成する（ステップＳ１１０４）。また、セッション情報管理部７０２は、作成されたセッションＩＤと、要求元の通信端末１０２ａの要求元通信ＩＤと、宛先の通信端末１０２ｂの宛先通信ＩＤと、を対応づけて図９のセッション管理テーブル９０１に記録する（ステップＳ１１０５）。
【００９８】
続いて、通信管理システム１０１のセッション制御部７０１は、宛先の通信端末１０２ｂに対して通信の開始要求を送信する（ステップＳ１１０６）。この通信の開始要求には、例えば、通信の開始を要求した通信端末１０２ａの通信ＩＤ、宛先の通信端末１０２ｂ、セッションＩＤ、及び通信管理システム１０１のＩＰアドレス等が含まれる。これにより、宛先の通信端末１０２ｂの通信制御部６１６は、通信の開始要求を受信する。
【００９９】
これに対して、通信端末１０２ｂは、例えば、表示部６１４等に、通信の開始要求を受けたことを表示し、利用者の応答操作を促す。また、通信端末１０２は、利用者による応答操作を受け付けると（ステップＳ１１０７）、通信制御部６１６により、通信管理システム１０１に対し、応答可否を示す情報を含む開始応答を送信する（ステップＳ１１０８）。この開始応答には、例えば、宛先の通信端末１０２ｂの宛先通信ＩＤ、セッションＩＤ、及び応答の可否を示す情報等が含まれる。この応答の可否を示す情報により、通信端末１０２ｂ側で利用者による通信の許可の入力が受け付けられた場合には応答する旨が示され、通信端末１０２ｂ側で利用者による通話の拒否の入力が受け付けられた場合には応答しない旨が示される。以下、通信端末１０２ｂが、応答する旨を示す情報を含む開始応答を通信管理システム１０１へ送信した場合について説明を続ける。
【０１００】
通信管理システム１０１は、通信端末１０２ｂから開始応答を受信する。また、通信管理システム１０１の状態管理部６０３は、開始応答に含まれる宛先の通信端末１０２ｂの通信ＩＤに基づいて、端末管理ＤＢ６０９を更新する（ステップＳ１１０９）。例えば、状態管理部６０３は、図８（ｂ）の端末管理テーブル８０２において、宛先の通信端末１０２ｂの通信ＩＤに対応する稼動状態を、「ＯＮライン（通信中）」に変更する。
【０１０１】
また、通信管理システム１０１のセッション制御部７０１は、通信端末１０２ｂからの開始応答に応じて、要求元の通信端末１０２ａに開始応答を送信する。この開始応答には、例えば、セッションＩＤや、セッションの開始を示す情報等が含まれる。
【０１０２】
続いて、通信管理システム１０１のセッション制御部７０１は、通信端末１０２ａと通信端末１０２ｂとの間で、ネットワーク１０４を介して画像データ及び音データを送信するセッションｓｅｄの確立を制御する。
【０１０３】
セッションｓｅｄを確立させる方法は、特に限定されないが、例えば、セッション制御部７０１は、中継装置１０３に接続するための接続情報を通信端末１０２ａ及び通信端末１０２ｂに送信する。例えば、セッション制御部７０１は、ステップＳ１１０６において、通信端末１０２ｂに送信する開始要求に、中継装置１０３の接続情報を含めて送信するもの等であっても良い。同様に、セッション制御部７０１は、ステップＳ１１１０において、通信端末１０２ａに送信する開始応答に、中継装置１０３の接続情報を含めて送信するもの等であっても良い。
【０１０４】
さらに、セッション制御部７０１は、中継装置１０３に、通信端末１０２ａと通信端末１０２ｂとによるセッションの中継開始の要求を送信する。これにより、例えば、通信端末１０２ｂと中継装置１０３との間のセッションｓｅｄ、及び通信端末１０２ａと中継装置１０３との間のセッションｓｅｄが確立される（ステップＳＳ１１１１、Ｓ１１１２）。
【０１０５】
上記の処理により、要求元の通信端末１０２ａと、宛先の通信端末１０２ｂとの間で、
画像データ及び音声データの送受信、及び画像情報（ストローク情報）の共有等が開始される（ステップＳ１１１３）。
【０１０６】
（画像情報の蓄積処理）
続いて、図１１のステップＳ１１１３において、画像情報の共有を開始した後の処理について説明する。尚、中継装置１０３は、基本的に、通信端末１０２ａと通信端末１０２ｂとの間のデータの中継（転送）を行うのみなので、図１１では記載を省略している。
【０１０７】
図１２は、一実施形態に係る画像情報の蓄積処理の例を示すシーケンスチャートである。図１１のステップＳ１１１３において、画像情報の共有が開始された後、通信端末１０２ａは、例えば、手書き入力のストローク情報等の画像情報を受け付けると（ステップＳ１２０１）、画像情報に基づく画像を表示部６１４に出力する（ステップＳ１２０２）。
【０１０８】
また、通信端末１０２ａの通信制御部６１６は、受け付けた画像情報を、画像情報を共有する通信端末１０２ｂに送信する（ステップＳ１２０３）。このとき、送信される画像情報には、例えば、送信元の通信端末１０２ａの通信ＩＤ、セッションＩＤ、シート番号、画像情報、及び時刻情報等が含まれる。尚、本実施形態では、この画像情報は、通信管理システム１０１にも送信される（ステップＳ１２０４）。
【０１０９】
このとき、通信管理システム１０１に送信される画像情報は、例えば、通信端末１０２ａの通信制御部６１６が、通信端末１０２ａと通信管理システム１０１との間のセッションｓｅｉを用いて通信管理システム１０１に送信するものであっても良い。或いは、通信管理システム１０１に送信される画像情報は、通信端末１０２ａの通信制御部６１６が、中継装置１０３に送信した画像情報を、中継装置１０３が通信管理システム１０１に転送するもの等であっても良い。
【０１１０】
ステップＳ１２０５において、通信端末１０２ａが送信した画像情報を受信した通信端末１０２ｂは、受信した画像情報に基づく画像を表示部６１４に出力する。一方、ステップＳ１２０６において、通信端末１０２ａが送信した画像情報を受信した通信管理システム１０１は、受信した画像情報を画像情報ＤＢ６１１に蓄積（記録）する。
【０１１１】
同様にして、通信端末１０２ｂは、例えば、手書き入力のストローク情報等の画像情報を受け付けると（ステップＳ１２０７）、画像情報に基づく画像を表示部６１４に出力する（ステップＳ１２０８）。また、通信端末１０２ｂの通信制御部６１６は、受け付けた画像情報を、画像情報を共有する通信端末１０２ａに送信する（ステップＳ１２０９）。尚、この画像情報は、通信管理システム１０１にも送信される（ステップＳ１２１０）。
【０１１２】
このとき、通信管理システム１０１に送信される画像情報は、例えば、通信端末１０２ｂの通信制御部６１６が、通信端末１０２ｂと通信管理システム１０１との間のセッションｓｅｉを用いて通信管理システム１０１に送信するものであっても良い。或いは、通信管理システム１０１に送信される画像情報は、通信端末１０２ｂの通信制御部６１６が、中継装置１０３に送信した画像情報を、中継装置１０３が通信管理システム１０１に転送するもの等であっても良い。
【０１１３】
ステップＳ１２１１において、通信端末１０２ｂが送信した画像情報を受信した通信端末１０２ａは、受信した画像情報に基づく画像を表示部６１４に出力する。一方、ステップＳ１２１２において、通信端末１０２ｂが送信した画像情報を受信した通信管理システム１０１は、受信した画像情報を画像情報ＤＢ６１１に蓄積（記録）する。
【０１１４】
上記の処理により、画像情報を共有する複数の通信端末１０２から出力された画像情報は、通信管理システム１０１の画像情報管理部６０５によって、画像情報ＤＢ６１１に順次に記録される。
【０１１５】
ここで、画像情報ＤＢ６１１について説明する。
【０１１６】
（画像情報ＤＢ）
通信管理システム１０１の記憶部６０７には、画像情報管理テーブルを含む画像情報ＤＢ６１１が構築されている。
【０１１７】
図１３は、一実施形態に係る画像情報管理テーブルの例を示す図である。画像情報管理テーブル１３０１は、複数の通信端末１０２間におけるセッションの識別情報であるセッションＩＤ毎に作成される。例えば、複数の通信端末１０２間のセッションが確立される度に、新たな画像情報管理テーブル１３０１が追加される。
【０１１８】
この画像情報管理テーブル１３０１には、シート番号によって分割される複数のセクション毎に、画像番号に対応づけて、画像情報、送信元の通信端末１０２の通信ＩＤ、及び、画像情報が生成された時刻等の情報が記録されている。
【０１１９】
このうちの画像情報には、例えば、線「Line」、円「Circle」等のストロークを示すストローク情報、テキストを示すテキスト情報「Text」、及び消去する画像を示す情報「Delete」等が含まれる。また、これらの画像情報には、画像が出力又は消去される位置を示す座標情報、画像のサイズ、色、或いはフォントを示す情報等が含まれていても良い。また、画像情報は、上記の追加する画像の画像情報、或いは消去する画像の画像情報だけでなく修正する画像の画像情報を含んでも良い。
【０１２０】
一実施形態において、テキストは画像の一例であって、文字及び記号等を含む。これらの画像情報は、サービスの提供が完了する(ＥＯＳ: End of Service)まで、画像情報管理テーブル１３０１における画像情報のフィールドへ、画像番号の順に記録される。
【０１２１】
また、一実施形態によると、通信端末１０２は、表示部６１４に表示されたタブやサムネイル等によって切り換え可能なワークスペース毎に、異なる画像を出力することができる。上記のシート番号は、ワークスペースを識別するための番号である。尚、シートは、例えば、ワークシート、スペース、ワークスペース等の画像が描かれる領域を示す任意の用語に置き換えることができる。
【０１２２】
上記の構成により、例えば、通信端末１０２ａの表示制御部６１５は、通信端末１０２ａにおいて筆記検知信号の受信を契機とした画像情報「Line」、「Circle」、「Text」等が生成される度、画像情報に基づく画像を重畳して、表示部６１４に出力する制御を行う。また、表示制御部６１５は、通信相手の通信端末１０２ｂ等から、画像情報「Line」、「Circle」、「Text」等が送られてくる度、画像情報に基づく画像を重畳して、表示部６１４に出力する制御を行う。
【０１２３】
また、表示制御部６１５は、通信端末１０２ａにおける消去検知信号の受信を契機とした画像情報「Delete」が生成される度、重畳的に出力された画像のうち、画像情報「Delete」に対応する画像を消去する制御を行う。また、表示制御部６１５は、通信相手の通信端末１０２ｂ等から画像の消去を示す画像情報「Delete」が送られてくる度、重畳的に出力された画像のうち、画像情報「Delete」に対応する画像を消去する制御を行う。
【０１２４】
すなわち、セッションｓｅｄによるコミュニケーションの過程で、複数の通信端末１０２間で共有される画像は、その一部が追加されたり削除されたりする。
【０１２５】
また、各通信端末１０２が画像情報を送信する度、通信管理システム１０１の画像情報管理部６０５は、送信された画像情報、通信ＩＤ、及び時刻等を画像情報ＤＢ６１１の画像情報管理テーブル１３０１に記録する。
【０１２６】
（画像情報の復元処理）
本実施形態に係る通信システム１００では、セッションの開始後や、セッションの開催中等に、例えば、通信端末１０２の利用者の操作等に応じて、画像情報ＤＢ６１１に記録された画像情報を復元し、複数の通信端末１０２間で共有することができる。これにより、通信システム１００の利用者は、復元された画像を用いて、例えば、前回のセッションを容易に再開することができる。
【０１２７】
図１４は、一実施形態に係る画像情報の復元処理の例を示すシーケンスチャートである。通信管理システム１０１は、例えば、図１１のセッション確立処理によって、通信端末１０２ａと通信端末１０２ｂとの間で画像情報の共有を開始(ステップＳ１１３)した後、任意のタイミングで、画像情報の復元処理を開始することができる。
【０１２８】
例えば、図１４のステップＳ１４０１において、通信端末１０２ａの利用者により、復元操作を受け付けると、通信端末１０２ａの通信制御部６１６は、通信管理システム１０１に画像情報要求を送信する（ステップＳ１４０２）。この画像情報要求には、例えば、要求元の通信端末１０２ａの通信ＩＤ、宛先の通信端末１０２ｂの通信ＩＤ、及び現在開催中のセッションのセッションＩＤ等が含まれる。
【０１２９】
ステップＳ１４０３において、通信端末１０２ａから画像情報要求を受信した通信管理システム１０１の取得制御部７０３は、セッション管理ＤＢ６１０からセッション情報（例えば、セッション管理テーブル９０１）を取得する。取得制御部７０３は、取得したセッション情報により、画像情報要求に含まれる通信端末１０２ａの通信ＩＤ及び通信端末１０２ｂの通信ＩＤに基づいて、通信端末１０２ａ及び通信端末１０２ｂが過去に参加したセッションを特定することができる。
【０１３０】
ステップＳ１４０４において、取得制御部７０３は、通信端末１０２ａと通信端末１０２ｂとの間で過去に開催されたセッションに関する画像情報の履歴を作成する。例えば、取得制御部７０３は、画像情報ＤＢ６１１に画像情報が記録されたセッションのうち、通信端末１０２ａと通信端末１０２ｂとが参加した１つ以上のセッションの情報を取得（抽出）する。これにより、通信端末１０２ａと通信端末１０２ｂとの間で過去に開催されたセッションのうち、画像情報ＤＢ６１１に記録されている画像情報の一覧（履歴）が作成される。
【０１３１】
ステップＳ１４０５において、取得制御部７０３は、作成された画像情報の履歴（画像情報ＤＢ６１１に画像情報が記録されたセッションのうち、通信端末１０２ａと通信端末１０２ｂとが参加した１つ以上のセッションの情報）を通信端末１０２ａに送信する。
【０１３２】
ステップＳ１４０６において、通信管理システム１０１から画像情報の履歴を受信した通信端末１０２ａの表示制御部６１５は、表示部に画像情報の履歴の選択画面を表示させ、利用者に復元する画像情報の選択を促す。例えば、表示制御部６１５は、通信管理システム１０１から受信した１つ以上のセッションの情報を、表示部６１４に選択可能に表示させる。このとき、通信端末１０２ａの表示部６１４に表示される画面の例を図１５に示す。
【０１３３】
図１５は、一実施形態に係る画像情報の履歴の選択画面の例を示す図である。図１５の例では、通信端末１０２（通信端末１０２ａ）の表示部６１４に、画像情報の履歴の選択画面１５０１が表示されている。画像情報の履歴の選択画面１５０１には、画像情報ＤＢ６１１に画像情報が記録されたセッションのうち、通信端末１０２ａと通信端末１０２ｂとが参加した１つ以上のセッションを選択するための複数の選択ボタン１５０２が選択可能に表示されている。
【０１３４】
通信端末１０２の利用者は、表示部６１４に表示された画像情報の履歴の選択画面１５０１から、例えば、前回の遠隔授業の日時を含む選択ボタン１５０２を、通信端末１０２の入力部５１１等を用いて選択することができる。
【０１３５】
例えば、通信端末１０２が、共用の通信端末１０２であり、多くの利用者によって様々なセッションに用いられている場合、その様々なセッションの履歴の中から、必要なセッション、例えば、前回の遠隔授業等の履歴を選択することには困難である。しかし、本実施形態に係る通信システム１００では、現在のセッションに参加している通信端末１０２ａの通信ＩＤと、通信端末１０２ｂの通信ＩＤとに基づいて、同じ通信端末１０２の組合せで過去に開催されたセッションの情報が選択的に表示される。これにより、通信端末１０２ａの利用者は、容易に前回のセッションの履歴を選択することができる。
【０１３６】
好ましくは、画像情報の履歴の選択画面１５０１に表示される選択ボタン１５０２は、画像情報が記録されたセッションの日時を示す情報を含む。通信端末１０２ａの利用者は、例えば、前記の遠隔授業の開催日時等を容易に調べることができるので、前回の遠隔授業の画像情報を、容易に復元させることができる。また、画像情報が記録されたセッションの日時を示す情報は、例えば、図９のセッション管理テーブル９０１等から容易に取得可能であるため、利用者は、例えば、セッション名や、セッションＩＤ等を入力しなくても、前回の遠隔授業等の画像情報を取得することができる。
【０１３７】
図１４に戻って、シーケンスチャートの説明を続ける。
【０１３８】
ステップＳ１４０７において、通信端末１０２ａの操作入力受付部６１３が、図１５の選択ボタン１５０２等により、利用者の選択操作を受け付けると、通信制御部６１６は、選択された履歴を示す情報を通信管理システム１０１に送信する（ステップＳ１４０８）。例えば、通信制御部６１６は、表示部６１４に表示された１つ以上のセッションの情報のうち、利用者によって選択された一のセッションを指定する情報を、通信管理システム１０１に送信する。
【０１３９】
ステップＳ１４０９において、通信端末１０２ａから、選択された履歴を示す情報を受信した通信管理システム１０１の取得制御部７０３は、画像情報ＤＢ６１１から、選択された履歴（セッション）に対応する画像情報を取得する。例えば、取得制御部７０３は、通信端末１０２ａから受信した、利用者によって選択された一のセッションを指定する情報に基づいて、画像情報ＤＢ６１１から取得するセッションの画像情報を決定し、取得する。
【０１４０】
ステップＳ１４１０において、通信管理システム１０１の画像情報送信部７０４は、取得制御部７０３が取得した画像情報を、現在のセッションに参加する通信端末１０２に送信する。例えば、画像情報送信部７０４は、画像情報要求を送信した通信端末１０２ａに、取得した画像情報を送信する。
【０１４１】
ステップＳ１４１１において、通信管理システム１０１から画像情報を受信した通信端末１０２ａの表示制御部６１５は、受信した画像情報に基づいて、ステップＳ１４０７で選択したセッションの画像情報を復元し、表示部６１４に表示させる。
【０１４２】
ステップＳ１４１２において、通信端末１０２ａは、画像情報を共有する通信端末１０２ｂと、復元された画像情報を共有する。これにより、通信端末１０２ｂにも、通信端末１０２ａの表示部６１４に表示された画像が表示される。
【０１４３】
上記の処理により、例えば、通信端末１０２ａの利用者は、過去に通信端末１０２ａと通信端末１０２ｂとの間で行われた複数のセッションの中から、例えば、前回のセッションの画像等を選択的に、かつ容易に復元することができるようになる。
【０１４４】
尚、図１４の処理は、本実施形態に係る画像情報の復元処理の好適な一例である。例えば、図１４のステップＳ１４０４〜Ｓ１４０９において、取得制御部７０３は、画像情報ＤＢ６１１に画像情報が記録されたセッションのうち、通信端末１０２ａと通信端末１０２ｂとが参加した最新のセッションの画像情報を取得するもの等であっても良い。また、
ステップＳ１４０４において、画像情報ＤＢ６１１に画像情報が記録されたセッションのうち、通信端末１０２ａと通信端末１０２ｂとが参加したセッションが１つしかない場合、ステップＳ１４０５〜Ｓ１４０８の処理を省略するもの等であっても良い。
【０１４５】
ここで、上記の処理により、通信端末１０２ａに表示される表示画面の例について説明する。
【０１４６】
図１６は、一実施形態に係る通信端末の表示画面の例を示す図である。図１６は、例えば、図１４のステップＳ１４１１において、画像情報が復元された後の通信端末１０２ａの表示画面の例を示す。図１６の例では、通信端末１０２ａの表示部５１０に、復元された画像情報１６０１が表示されている。この復元された画像情報１６０１は、例えば、前回の遠隔授業の際に記録された画像等であり、通信端末１０２ａの利用者は、この復元された画像情報１６０１を用いて、例えば、前回の遠隔授業の続きを再開することができる。
【０１４７】
図１６において、復元された画像情報１６０１の下に表示されたサムネイル「１」１６０２は、例えば、図１３の画像情報管理テーブル１３０１のシート番号に対応している。例えば、図１６において、サムネイル「１」１６０２を選択することにより、シート番号１の画像情報が、復元された画像情報１６０１として表示部５１０表示される。同様に、図１６において、サムネイル「２」１６０３を選択することにより、シート番号２の画像情報が、復元された画像情報１６０１として表示部５１０に表示される。
【０１４８】
また、図１６の例において、通信情報１０２ａの表示部５１０には、通信端末１０２ｂ側の拠点の映像１６０４と、通信端末１０２ａ側の拠点の映像１６０５が表示されている。これにより、セッションに参加する参加者は、他の参加者の映像及び音声と、表示部５１０に表示された共有画像とを利用して、遠隔授業や遠隔会議等のセッションを行うことができる。
【０１４９】
（画像情報の復元後の処理）
図１７は、一実施形態に係る画像情報を復元した後の処理の一例を示すシーケンスチャートである。また、図１７では、画像情報を共有する通信端末１０２が３台以上の場合の処理の例についても合わせて説明する。
【０１５０】
図１７の処理の開始前に、複数の通信端末１０２ａ、１０２ｂ、１０２ｃは、例えば、図１０に示す認証処理、及び図１１に示すセッション確立処理を実行し、互いに画像情報を共有しているものとする。
【０１５１】
図１７のステップＳ１７０１において、通信端末１０２ａは、図１４の復元処理により、画像情報を復元したものとする。これに応じて、通信端末１０２ａの表示制御部６１５は、復元された画像情報に基づく画像を表示部６１４に出力する（ステップＳ１７０２）。
【０１５２】
また、通信端末１０２ａの通信制御部６１６は、復元された画像情報を、セッションｓｅｄを用いて、中継装置１０３に送信する（ステップＳ１７０３）。このとき、中継装置１０３に送信される復元された画像情報には、現在のセッションＩＤが含まれる。
【０１５３】
通信端末１０２ａから、復元された画像情報を受信した中継装置１０３は、受信した画像情報に含まれるセッションＩＤに基づいて、セッションに参加する他の通信端末１０２ｂ、１０２ｃに、受信した画像情報を転送する（ステップＳ１７０４、Ｓ１７０５）。
【０１５４】
中継装置１０３から復元された画像情報を受信した通信端末１０２ｂ、１０２ｃは、それぞれ、表示制御部６１５により、受信した復元された画像情報に基づく画像を表示部６１４に表示させる（ステップＳ１７０６、Ｓ１７０７）。
【０１５５】
このように、本実施形態に係る通信システム１００では、画像情報を共有する通信端末１０２が３つ以上の場合でも、前回のセッションの画像情報を容易に復元し、共有することができる。
【０１５６】
また、本実施形態に係る通信端末１０２ａの通信制御部６１６は、ステップＳ１７０８において、ステップＳ１７０３で送信した復元された画像情報と同様の情報を、例えば、セッションｓｅｉを用いて、通信管理システム１０１にも送信する。このとき、通信管理システム１０１に送信される復元された画像情報には、現在のセッションＩＤ等が含まれる。
【０１５７】
通信端末１０２ａから、復元された画像情報を受信した通信管理システム１０１の画像情報管理部６０５は、復元された画像情報を、現在のセッションの画像情報として画像情報ＤＢ６１１に記録する（ステップＳ１７０９）。
【０１５８】
次に、ステップＳ１７１０において、通信端末１０２ａは、表示部６１４に表示された画像に対して新たな画像情報の入力操作を受け付けると、表示制御部６１５は、入力された画像を表示中の画像に重畳して表示させる（ステップＳ１７１１）。さらに、通信端末１０２ａの通信制御部６１６は、入力された画像情報を、セッションｓｅｄを用いて、中継装置１０３に送信する（ステップＳ１７１２）。
【０１５９】
通信端末１０２ａから、入力された画像情報を受信した中継装置１０３は、受信した画像情報に含まれるセッションＩＤに基づいて、セッションに参加する他の通信端末１０２ｂ、１０２ｃに受信した画像情報を転送する（ステップＳ１７１３、Ｓ１７１４）。
【０１６０】
中継装置１０３から入力された画像情報を受信した通信端末１０２ｂ、１０２ｃは、それぞれ、表示制御部６１５により、受信した入力された画像情報に基づく画像を表示部６１４に表示させる（ステップＳ１７１５、Ｓ１７１６）。
【０１６１】
また、通信端末１０２ａの通信制御部６１６は、ステップＳ１７１７において、ステップＳ１７０３で送信した復元された画像情報と同様の情報を、例えば、セッションｓｅｉを用いて、通信管理システム１０１にも送信する。
【０１６２】
通信端末１０２ａから、入力された画像情報を受信した通信管理システム１０１の画像情報管理部６０５は、入力された画像情報を、現在のセッションの画像情報として画像情報ＤＢ６１１に記録する（ステップＳ１７１８）。
【０１６３】
このように、本実施形態に係る通信システム１００では、前回のセッションで入力された画像を復元し、復元した画像に新たな画像情報を入力して、管理することができるようになる。
【０１６４】
［その他のシステム構成］
以上、図１に示す通信システム１００のシステム構成例に基づいて実施例の説明を行ったが、図１に示すシステム構成は一例である。ここで、本発明に係る通信システム１００の別の構成例について簡単に説明する。
【０１６５】
図１８は、一実施形態に係る通信システムの別の構成例を示す図である。図１８において、通信システム１００は、複数の通信端末（１０２ａａ，１０２ａｂ，…，１０２ｄｃ）、複数の中継装置（１０３ａ，１０３ｂ，１０３ｃ，１０３ｄ）、通信管理システム１０１、及びプログラム提供システム９０を有する。
【０１６６】
尚、ここでは、通信端末（１０２ａａ，１０２ａｂ，…，１０２ｄｃ）のうち任意の通信装置を示す場合には「通信端末１０２」を用いる。また、中継装置（１０３ａ，１０３ｂ，１０３ｃ，１０３ｄ）のうち任意の中継装置を示す場合には「中継装置１０３」を用いる。
【０１６７】
各通信端末１０２の利用者は、他の通信端末１０２の利用者と、例えば、リアルタイムに送受信される画像や音声を用いて、遠隔授業やテレビ会議等のセッションを行うことができる。また、各通信端末１０２は、例えば、手書き入力された文字、図形、記号等の画像情報を共有することができる。中継装置１０３は、複数の通信端末１０２の間で、コンテンツデータの中継を行う。通信管理システム１０１は、通信端末１０２及び中継装置１０３を一元的に管理する。
【０１６８】
また、図１８に示されている複数のルータ（７０ａ，７０ｂ，…，７０ｆ）は、画像データ及び音声データの最適な経路の選択を行う。尚、本実施形態では、ルータ（７０ａ，７０ｂ，…，７０ｆ）のうち任意のルータを示す場合には「ルータ７０」を用いる。プログラム提供システム９０は、通信端末１０２に各種機能、又は各種手段を実現させるための通信装置用プログラムが記憶されたストレージ手段を備えており、通信端末１０２に、通信装置用プログラムを送信することができる。
【０１６９】
また、プログラム提供システム９０のストレージ手段には、中継装置１０３に各種機能、又は各種手段を実現させるための中継装置用プログラムも記憶されており、中継装置１０３に、中継装置用プログラムを送信することができる。さらに、プログラム提供システム９０のストレージ手段には、通信管理システム１０１に各種機能、又は各種手段を実現させるための通信管理用プログラムも記憶されており、通信管理システム１０１に、通信管理用プログラムを送信することができる。
【０１７０】
また、通信端末１０２ａａ、通信端末１０２ａｂ、通信端末１０２ａｃ、中継装置１０３ａ、及びルータ７０ａは、ＬＡＮ２ａによって通信可能に接続されている。通信端末１０２ｂａ、通信端末１０ｂｂ、通信端末１０２ｂｃ、中継装置１０３ｂ、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されており、ＬＡＮ２ｂは大阪の事業所内で構築されている。
【０１７１】
一方、通信端末１０２ｃａ、通信端末１０２ｃｂ、通信端末１０２ｃｃ、中継装置１０３ｃ、及びルータ７０ｃは、ＬＡＮ２ｃによって通信可能に接続されている。通信端末１０２ｄａ、通信端末１０２ｄｂ、通信端末１０２ｄｃ、中継装置１０３ｄ、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｂはアメリカであり、ＬＡＮ２ｃはニューヨークの事業所内で構築されており、ＬＡＮ２ｄはワシントンＤ．Ｃ．の事業所内で構築されている。地域Ａ及び地域Ｂは、それぞれルータ（７０ｃ，７０ｆ）からインターネット２ｉを介して通信可能に接続されている。
【０１７２】
また、通信管理システム１０１、及びプログラム提供システム９０は、インターネット２ｉを介して、通信端末１０２、及び中継装置１０３と通信可能に接続されている。通信管理システム１０１、及びプログラム提供システム９０は、地域Ａ又は地域Ｂに設置されていてもよいし、これら以外の地域に設置されていても良い。
【０１７３】
尚、図１８の例では、ＬＡＮ２ａ、ＬＡＮ２ｂ、専用線２ａｂ、インターネット２ｉ、専用線２ｃｄ、ＬＡＮ２ｃ、及びＬＡＮ２ｄによって、本実施形態の通信ネットワーク２が構築されている。
【０１７４】
このように、本発明に係る通信システム１００は、図１の通信端末１０２の数や、ネットワーク１０４を拡張して、様々な国、地域、拠点等でセッションを開催し、そのセッションの再開を容易にすることができる。
【０１７５】
＜実施形態の補足＞
通信端末１０２、及び通信管理システム１０１用の各プログラムは、インストール可能な形式又は実行可能な形式のファイルによって、コンピュータで読み取り可能な記録媒体（記録メディア３０６、４０６等）に記録されて流通されるようにしてもよい。また、上記記録媒体の他の例として、ＣＤ−Ｒ(Compact Disc Recordable)、ＤＶＤ(Digital Versatile Disk)、ブルーレイディスク等の光学ディスクが挙げられる。また、上記記録媒体、或いは、これらプログラムが記憶されたＨＤ４０４や、ストレージ部５０４等は、プログラム製品(Program Product)として、国内又は国外へ提供可能である。
【０１７６】
また、上記実施形態における通信端末１０２、及び通信管理システム１０１は、単一の装置によって構築されてもよいし、各部（機能又は手段）を分割して任意に割り当てられた複数の装置によって構築されていてもよい。
【０１７７】
さらに、上記では、通信端末１０２（下位概念）等の画像共有装置（中位概念）によって、遠隔授業や遠隔会議等のセッションを行うことに関して説明したが、これに限るものではない。本発明は、テレビ会議を含めたより広い概念としての通信分野において上記実施形態を応用したものを含む。例えば、プロジェクターシステム、デジタルサイネージ、テキスト共有システム、カーナビゲーションシステム、ゲーム機用の通信システム等で、上記実施形態を応用することができる。
【符号の説明】
【０１７８】
１００    通信システム
１０１    通信管理システム（画像管理システム）
１０２    通信端末
１０３    中継装置
１０４    ネットワーク
６０６    通信制御部
６０７    記憶部（記憶手段）
６０８    認証管理ＤＢ
６０９    端末管理ＤＢ
６１０    セッション管理ＤＢ
６１１    画像情報ＤＢ
６１４    表示部
６１５    表示制御部
７０１    セッション制御部
７０２    セッション情報管理部（管理部）
７０３    取得制御部（取得部）
７０４    画像情報送信部（送信部、送信手段）
７０５    画像情報記録部(画像情報記録手段)
【先行技術文献】
【特許文献】
【０１７９】
【特許文献１】特開２００４−２２１８４２号公報
【図１】
2016152505.tif 000003
【図２】
2016152505.tif 000004
【図３】
2016152505.tif 000005
【図４】
2016152505.tif 000006
【図５】
2016152505.tif 000007
【図６】
2016152505.tif 000008
【図７】
2016152505.tif 000009
【図８】
2016152505.tif 000010
【図９】
2016152505.tif 000011
【図１０】
2016152505.tif 000012
【図１１】
2016152505.tif 000013
【図１２】
2016152505.tif 000014
【図１３】
2016152505.tif 000015
【図１４】
2016152505.tif 000016
【図１５】
2016152505.tif 000017
【図１６】
2016152505.tif 000018
【図１７】
2016152505.tif 000019
【図１８】
2016152505.tif 000020